(57)【特許請求の範囲】
【請求項１】
情報担体に第１の情報フローを記録し、同時に、前記情報担体を介して更なる情報フローを処理する記録及び再生システムであって、
当該システムは、前記情報担体に情報を書き込むか、前記情報担体から情報を読み取るための走査速度で前記情報担体を走査する読取り／書込みユニットと、記録及び／又は再生の間に情報を一時的に記憶するバッファ手段を備え、
記録の間に前記第１の情報フローを圧縮する圧縮手段を備え、
必要とされるデータレートに依存して前記圧縮手段を制御することで、前記更なる情報フローを処理するために前記必要とされるデータレートに依存して、前記第１の情報フローの記録のために利用可能なデータレートを制御する制御手段を備える、
ことを特徴とするシステム。
【請求項２】
前記必要とされるデータレートは、前記第１の情報フローが記録されるのと同時に、他の更なる情報フローが再生又は記録されるために現在必要とされるデータレートである、ことを特徴とする請求項１記載の記録及び再生システム。
【請求項３】
前記圧縮手段は、予め定義された圧縮規則に従って既に圧縮された前記第１の情報フローを、前記圧縮規則に従って更に圧縮するトランスコーダを備える、
ことを特徴とする請求項２記載の記録及び再生システム。
【請求項４】
前記制御手段は、前記必要とされるデータレートに依存して前記走査速度を制御するために構成される、
ことを特徴とする請求項１記載の記録及び再生システム。
【請求項５】
前記情報担体は、ディスクの形状であり、
前記制御手段は、前記必要とされるデータレートに依存して、前記第１の情報フローの情報を書き込むための、前記ディスクの半径方向の領域の位置を選択するために構成される、
ことを特徴とする請求項１乃至４の何れか記載の記録及び再生システム。
【発明の詳細な説明】
本発明は、情報担体に第１の情報フローを記録し、同時に、その情報担体を介して更なる情報フローを処理する記録及び再生システムに関するものであり、当該システムは、情報担体への情報の書き込み又は読み取りのいずれかのための走査速度で情報担体を走査する読取り／書込みユニット、及び、記録及び／又は再生の間に情報を一時的に記憶するバッファ手段を有する。
かかる記録及び再生システムは、特開平6-208493号公報から既知である。この既知のシステムは、ディスクメモリのような、情報を記憶するランダムアクセスメインメモリを有する。入力バッファメモリを介して、メインメモリの入力は、情報フローを受ける入力へ結合されている。この情報フローは、たとえばデジタル化及び圧縮の後のビデオ信号といった、連続時間信号を表現している。メインメモリの出力は、出力バッファメモリを介して出力に結合されている。この例では、情報フローは、出力で再生され、伸張によりビデオ信号へ再変換される。このシステムは、ディスクメモリから情報を読み取り、ディスクメモリに情報を書き込む読取り／書込みヘッドと、動作中に、入力バッファが実質的に空に保たれ、出力バッファが実質的に一杯に保たれるように、交互に読み取り及び書き込みを行うシステムコントロールとを有する。かかるビデオ信号のシステムによれば、ビデオプログラムは、プログラム自身が未だ終了しない間に、短い遅延又は長い遅延により再生することができる。ユーザは、部分的に記録された番組を視聴し始め、同時に、残りの部分のプログラムが記録される。代替的に、たとえば電話の呼び出しのため、ユーザのビデオ番組の直接の視聴が中断される場合、当該システムを使用して、ユーザは、損失なく、中断後に記録を開始して、視聴を継続することができる。
公知のシステムの問題点は、固定された記録プロセスのために構成されていることである。
本発明の目的は、記録及び／又は再生が更に効率的に行われる記録及び再生システムを提供することにある。この目的を達成するため、本発明に係るシステムは、当該システムが、更なる情報フローを処理するために必要とされるデータレートに依存して第一の情報フローの記録を制御する制御手段を有することを特徴とする。これにより、現在又は期待される将来の同時の記録及び再生のような状況に依存して、記録が調整されるという利点が提供される。結果として、当該システムの伝送容量の最大の可能な部分が利用され、当該システムの伝送容量は、書き込みと読み取りとにわたり良好にバランスされたやり方で設けられる。将来の同時の記録／再生のために利用可能な十分な書き込み容量を有するため、現在の記録が調整され、現在の同時の記録及び／又は再生のために、伝送容量が最適に利用される。これは、伝送容量が高く、使用される効率が低いものと比較して益々有利である。これは、伝送容量が高くなると、システムが複雑になり、磨耗及び欠陥に対する感度が高くなるためである。高く及び／又は安定な再生信号の品質は、利用可能な伝送容量で実現される。
本発明に係る記録及び再生システムの実施の形態は、当該システムが、記録の間に第一の情報フローを圧縮する圧縮手段を有すること、制御手段は、要求されるデータレートに依存して圧縮手段を制御するために構成されることを特徴とする。これは、圧縮の程度が要求されるデータレートに応じて調整され、結果的に、利用可能なビットができるだけ多く使用される点で有利であり、信号は最少に圧縮され、再生について高い品質を提供するという点で有利である。これは、ＭＰＥＧ−２デジタルビデオのような可変ビットレートを有する情報フローにとって特に有利である。本発明に係る記録及び再生システムの更なる実施の形態及びその利点は、従属の請求項及び以下の説明で記載される。
本発明のこれらの態様及び他の態様は、以下に記載される実施の形態を参照して明らかになるであろう。
図において、
図１は書込可能なタイプの情報担体を示し、
図２は圧縮手段を含む記録及び再生装置を示し、
図３は圧縮ユニットを示し、
図４はトランスコーダを含む記録及び再生装置を示し、
図５は制御手段を含む記録及び再生装置を示し、且つ
図６はデータレートの曲線を示している。
これらの図面において、既に記載された要素に対応する要素は類似の符号を有する。
図１は、たとえばＣＤ−Ｅ（Compact Disc Erasable;消去可能コンパクトディスク）のような、再書込み可能なタイプのディスク状の情報担体１を示している。この情報担体は、記録することが意図されるトラック９を有し、そのトラックは、螺旋パターンの卷回に従って配置されている。この卷回は、また螺旋状の代わりに同心状に配置されてもよい。たとえば案内溝が走査動作の間に読取り／書込みヘッドがトラック９に追従するのを可能にするサーボパターンにより、トラック９がその情報担体に設けられる。さらに、このサーボパターンは、たとえばトラックの始まりからの時間指示のような、トラックに沿った位置に関する情報を含んでもよい。この情報担体は、マークのパターンの形で情報ブロックを書き込むシステムにより、光学的又は磁気光学的な方法で書き込まれ得る記録層を有している。消去可能なコンパクトディスクは、たとえば相変化材料の記録層を有している。コンパクトディスクの記録及び読取の記載及びトラック及び案内溝の使用は、ISBN（国際標準図書番号）0-85274-785-3のBouwhuis等による表題「Principle of Optical Disc System」に見出される。本発明はまた、たとえば磁気ハードディスクのような他のディスク状の再書込み可能な情報担体に適用されるか、又は、情報担体の個別の領域における書き込みと読み取りが迅速に交互に行われる、光学テープのような異なる形式の情報担体に適用される。
図２、図４及び図５は、ディスク状の情報担体に第１の情報フローを記録し、同時に、光磁気的又は光学的に書き込むことができる情報担体を介して更なる情報フローを処理する記録及び再生システムを示している。このシステムは、情報担体１を回転させる駆動手段４５と、トラックを走査するための読取／書込ヘッド４２とを有し、そのトラックは、たとえばサーボ信号を発生するサーボパターンにより情報担体に設けられる。読取り／書込みヘッド４２は、サーボ手段４４によりトラックにわたり半径方向に位置決めされる。読取り／書込みヘッド４２は、既知のトラッキング及びフォーカス方法によりそのトラックを走査する。書込手段４１の入力に印加される情報は、必要に応じて、書込手段４１においてブロックに分割され、読取／書込ヘッド４２のための書込信号へ変換される。書込手段４１は、たとえばエラーコーダ及びチャネルコーダを有する。読み取られたときに、読取／書込ヘッド４２の信号は、たとえばチャネルデコーダ及び誤り訂正手段を有する読取手段４３において情報に再変換される。このシステムは、書き込みの間に入力に印加される情報を、書込手段４１を介して一時的に記憶し、及び／又は、読み取りの間に出力されるとことが意図される情報を、読取手段４３を介して一時的に記憶するバッファ手段４７を有する。このシステムは、さらに、駆動手段４５、サーボ手段４４、書込手段４１、読取手段４３及びバッファ手段４７を制御し、以下に記載される手順を実行するために構成されるシステム制御装置４６を含む。
同時の読み取り及び再生は、以下の方法でシステム制御装置４６により実現される。読取り／書込みヘッド４２は、情報担体の二つの個別の領域において交互に読み取り、書き込みを行う。入力での第１の情報フローは、バッファ手段４７を通して伝達され、情報は、第１の領域で書き込まれ、一方、第２の情報フローは、情報担体１の第２の領域から読み取られた情報を、バッファ手段４７を通して出力に伝達することにより出力で発生される。その情報フローは、オーディオ又はビデオのような連続時間の信号を表現する。上記特開平6-208493号公報には、バッファの使用が改善される係る手順のためのシステム及び一実施の形態が記載されている。しかしながら、これは、充分高い伝送レートを有する装置を必要とする。高い伝送レートは、しかしながら、そのシステムの複雑さと費用とに大幅な影響を与え、さらに、システムの磨耗とエージング及び情報担体の欠陥に対する感度が高くなる。
本発明によるシステムの動作は、ＶＣＲ（Video Cassette Recorder；ビデオカセットレコーダ）が有する機能の概念を使用することで、簡単な方法でユーザに提供される。このシステムは、「休止」、「再開」、「早送り」及び「巻き戻し」で参照されるキーを有している。テレビ番組を視聴しているとき、ユーザは家の外に呼び出される場合がある。「休止」キーにより、記録が開始される。ユーザが戻ると、彼は「再開」キーを押すので、（呼び出された瞬間からの）再生が開始し、同時に、記録が継続する。コマーシャルが表示されたとき、ユーザは「早送り」キーを押すので、そのコマーシャルは、高速モードで再生されるか、又はスキップされる。システムのインジケータは、ユーザが生放送に対してどの位の時間が遅れているかを指示する場合があり、一方で、画像は、規則的な間隔で、小型で再生される。他の動作機能により、時間的に前にダイレクトな飛び越しを行うことも可能である。やや長い時間の「早送り」の後、遅れた時間は零となり、ユーザは、再び生放送を視聴し、記録が停止される。このシステムは、ユーザが番組を視聴している間、常に又は要求に応じて記録モードへ切り換えられる。たとえば、サッカーの試合が記録され続けている間、サッカーの試合におけるゴールといった一部を「巻き戻し」キーを介して繰り返す場合がある。
図２は、圧縮手段を有する、本発明による記録及び再生システムを示す。このシステムは、入力信号により表現される情報に依存して、入力信号のデータレートを低減する圧縮ユニット２２を含んでいる。たとえば、表現において冗長度が低減されるか、又は再生信号の僅かな品質の損失により精度の低い表現が生成される場合がある。入力信号は、入力２１に印加され、圧縮ユニット２２において圧縮された信号に変換され、この圧縮信号は、書込みユニット４１において書込み信号に変換される。圧縮ユニット２２は、制御入力２６を介して制御可能であり、入力２１でのデータレートと出力２３でのデータレートとの間の圧縮率を調整することができる。オーディオ用のかかる制御可能な圧縮ユニットの簡単な実施の形態は、必要に応じて、幾つかの下位ビットを省略し、たとえば、サンプルオーディオ信号当たり１６ビットをサンプル当たり１５又は１４ビットまで低減する。このシステムは、アナログ入力信号をデジタル形式に変換するアナログ／デジタル変換手段を含む。出力では、システムは、伸張手段及び／又はデジタル／アナログ変換手段を含む場合がある。信号は、ＤＣＣ若しくはＭＰＥＧオーディオ又はビデオ圧縮によるように、信号の内容に依存して圧縮される場合もあり、図３では、ＭＰＥＧ２による圧縮の実施の形態が示される。システム制御装置４６は、図６を参照して記載されるように、導出される必要とされるデータレートに依存して圧縮ユニットを制御するために構成される。記録のために利用可能なデータレートは、本システムの必要とされるデータレート及び利用可能な伝送レートから直接導出される。圧縮手段は、圧縮された信号が利用可能なデータレートを超えないように設定される。瞬間的な変動はバッファ手段４７により平滑化されるため、瞬間的な値ではなく短時間にわたる平均値を使用することが決定的に重要である。この平均値は、データレートから決定されるか、又はバッファ手段４７の記憶の充填量から間接的に導出される。
図３は、ISO/IEC-13818-2から知られるMPEG2から慣習的なような、ビデオ情報に対する圧縮ユニットを示す。デジタルビデオ信号は、入力２１に印加され、画像がマクロブロックに分割される離散余弦変換（DCT；Discrete Cosine Transform）を実行する離散余弦変換ユニット３２に減算ユニット３１を介して導かれる。得られた係数は、Ｑユニット３３に導かれ、調節可能な除算ファクタで量子化される。この調節可能な除算ファクタについて、商のビットは更に処理され、余りが捨てられる。商ビットは、ＶＬＣユニット３４に導かれ、このＶＬＣユニットは、可変の長さを有する商を符号化する。このように、可変のビットレートを有する符号化された画像信号は、出力２３で生成される。平均のビットレートは、たとえばＱユニットにおいて除算ファクタを設定することで、検査ユニット３９により影響され、大きな除算ファクタにより低いビットレートが得られる。慣習的に、除算ファクタは、２と１６の間にある。特定の画質について必要とされるビットレートの更なる低減は、グループオブピクチャ（GOP;Group of Pictures）のたびに、独立のＩピクチャの後に送信される前方予測されたＰピクチャ又は双方向予測されたＢピクチャのような常に種々の差画像を送信することで得られる。再生された画像で見出されるアクティビティに基づいて、検査ユニット３９は、どのタイプのピクチャが発生されるかを判定する。図３は、検査ユニット３９により制御されるスイッチ３８を示し、このスイッチは、Ｉピクチャについて情報を送出せず、Ｐピクチャについて、符号化信号に基づく再構成画像の記憶された情報を送出する。減算ユニット３１において差のピクチャが決定され、この減算ユニット３１において、動き補償を使用することもできる。再構成された画像は、受信システムにおいても形成されるように、逆量子化（IQ;Inverse Quantization）ユニット３５、逆離散余弦変換（IDCT;Inverse Discrete Cosine Transform）ユニット３６を介して画像メモリ３７に形成される。Ｉ、Ｂ及びＰピクチャの選択により、検査ユニット３９は、ビットレートに別の影響を有する。慣習的な基準は、たとえば、トランスポートチャネルの伝送容量よりも低い最大の瞬間的なビットレートと、短時間の平均であり、これらの値は、受信システムにおけるバッファ容量を超えないように低くなければならない。
可変のビットレートを有するかかる圧縮ユニットにおいて、発生されるデータの量は、受信される信号の内応に依存する。一定のビットレートのシステムと比較して、再構成される信号の高い平均の品質は、発生されるデータの同じ全体の品質で得られる。本発明によれば、平均ビットレートは、検査ユニット３９の制御入力２６を介してのパラメータ設定により制御される。たとえば、検査ユニットが除算ファクタ又はＩ／Ｐ／Ｂピクチャの選択を調節するため、長期間の平均ビットレートは、この制御入力２６を介して影響される。代替的に、雑音濾波又は空間周波数の成分の低減のような、（図３に示されない）ある種の前処理が行われることが可能であり、この空間周波数の成分について、フィルタのパラメータは、ビットレートに影響を及ぼすために調節される場合がある。
図４は、トランスコーダ４８を有する、本発明に係る記録及び再生システムを示す。書込み手段４１は、所定の圧縮ルールに従って既に圧縮される入力信号を受ける入力を有する。この例は、たとえば衛星又はケーブルネットワークを介して受信され、記録及び再生システムに印加される、MPEG2圧縮ビデオ信号である。トランスコーダ４８は、所定の圧縮ルールに従って既に圧縮された係る信号を更に圧縮するために構成される。トランスコーダは、たとえば図３に示される縦続接続された伸張ユニットと圧縮ユニットを有する場合がある。相補演算が組み合わされる場合がある。かかるトランスコーダの記載は、特開平8-51631号公報に見出される。トランスコーダ４８は、更なる圧縮の程度を決定するため、制御手段４６から到来する制御信号４９を介して制御される。トランスコーダ４８は、書込み手段４１に結合されており、必要に応じて、既に圧縮された信号を受け、更に圧縮された信号を書込み手段４１に送出する。圧縮の程度は、図２の圧縮ユニット２２の制御に従って要求されるデータレートに依存して制御される。
図５は、要求されるデータレートに依存して走査速度を調節する制御手段４６を有する、本発明に係る記録及び再生システムを示す。本システムの実施の形態では、制御手段は、伝送容量を調節するために構成される。たとえば、バッファ手段４７における記憶量が一杯になったことをシステム制御器が確定するため、現在必要とされるデータレートに依存して（図６Ｃ参照）、伝送容量は一時的に増加される。この目的のために、走査速度は、情報担体の一層高い伝送／回転速度によって増加される。読み取りは、比例して高速で行われる。さらに、書込みクロック速度は、走査速度に比例して増加される。高速の読み取り及び／又は書き込みにより、システムの伝送容量が増加され、記録されるべき情報フローについて高いデータレートになる。後の時間で、バッファが再び充分に空であるとき、伝送レートは、正常値に低減される。別の実施の形態では、所望の再生品質のような他の理由のために、又は２個の情報フローが同時に処理される時間から常に、伝送レートの増加が決定される。有利なことに、本システムの磨耗、電力消費量及び／又は熱発生量が低減されるため、実際に必要な場合にのみ走査速度が増加する。
本システムの別の実施の形態では、制御手段は、要求されるデータレートに依存して、第１の情報フローの情報を書き込む領域の半径方向の位置を選択するために構成される。コンパクトディスク（ＣＤ）により、一定密度、したがって線速度一定（CLV；constant linear velocity）により情報を書き込むことが慣習的である。同時の読取り／再生の間に読み取りと書き込みとが交互にされるとき、回転速度は、調整されないか、又は半径方向の位置に従って僅かな程度に調整される。これは、高速の調整しようとすると、非常に高性能な駆動モータが必要とされるためである。書き込み又は読み取りが行われる領域に対応する速度の間の中間の回転速度が選択されるか、又は、最も内側の領域に対応する回転速度が選択される場合があり、一方で、より外側の領域は、公称の速度よりも高速で走査される。たとえば、本発明に係るシステム制御装置は、第１の情報フローを書き込むために情報担体の外側のエッジに沿った領域を選択する。後の時間で、更なる情報フローが記録され、同時に、この記録された領域が再生されるとき、そのディスクの中心に更に書き込むことが可能である。記録プロセスが公称の走査速度によって行われる場合、外側のエッジに沿った領域は、更に速い走査速度により読み出される。サーボ手段がディスクの中心近くで高い走査速度のために構成される必要がないことは有利なことであり、この高い走査速度は、そのディスク上のランダムな半径方向の位置での読み取り及び／又は書き込みが、増加された走査速度で行われる場合に必要である。これは、ディスクの外側のエッジに沿った領域における同じ走査速度によるよりも内側にある領域について個別の高い回転速度を必要とする。さらに、書き込みの品質は大部分が速度に依存し、書き込みプロセスのパラメータのための複雑な制御が必要であるので、書き込みプロセスが公称の速度又は少なくとも読み取り速度よりも低い速度により行われることが有利である。さらに、記録のために領域が選択されるとき、読み取りが書き込みにより交互にされるときにブリッジされる距離が大きくなり過ぎないように再生の領域が考慮され得る。これは、読取り／書込みヘッド４２の移動は、デッドタイムであるためである。第１の記録が外側のエッジからディスクの中心に向かって行われる場合、同時の再生の間、第２の記録は、たとえば記録のために意図されるディスクの領域の外側の直径と内側の直径の間の中央から開始される。長期間の同時の記録及び再生の間、再生の領域と記録の領域の両者は、相互の距離が制限され続けるように、低速で内側に移動する。
図６は、本発明によるシステムにおける記録及び／又は再生のためのデータレートの時間に関する可能性のある変動を表す。本システムの制御手段は、必要とされるデータレートを決定し、決定されたデータレートに依存して記録を制御するために構成される。このグラフは、水平方向におけるｔ軸に沿った時間ｔと垂直方向におけるデータレートｄとを示す。このグラフは、本発明に係るシステムに基づいており、所定の伝送容量、すなわち破線１０により示される、書き込みと読み取りとを交互にするための、単位時間当たりの平均の読み取られたビット数と書き込まれたビット数との合計を有する。第１の情報フローの記録は、ｔ軸から上方に下部から示されており、更なる情報フローを再生するために必要なデータレートは、利用可能な伝送容量１０から下方にプロットされている。このカーブは重複してはならず、それは、利用可能な伝送容量を超過することになるからである。しかし、この図は、読み取りと書き込みの間の切り換えのための必要なマージンを示していない。このマージンは、読み取り／書き込みユニットの移動時間とバッファサイズのような、それぞれのシステムのパラメータに依存する。さらに、個別の領域に独立して記録されている同じ２つの信号を再生する代わりに、更なる情報フローを同時に記録することが代替的に可能である。これは、たとえば、放送時間が部分的に重複する二つのテレビ番組を記録することをユーザが望む場合には有利である。これら二つの記録は、後の時間において全体として独立して再生され得るか、若しくは、消去又は上書きされる。
図６Ａは、ピーク１２、１３を含むカーブ１１で表現されるデータレートで、時間ｔ１とｔ２の間の信号の記録を示しており、この信号は、たとえばMPEG2ビデオ信号のような可変のビットレートを有する。次いで、カーブ１５及び１６により示されるように、時間ｔ３とｔ４の間で、更なる情報フローが同時に記録され、その更なる情報フローは、カーブ１４により示されるように再生される。時間ｔ１とｔ２の間の記録の間、本システムは、信号を変更せずに記憶し、最大の書き込み速度は、たとえばピーク１２で到達される。しかし、時間ｔ３とｔ４の間の記録／再生の間、これは、更なる情報フロー１５を記録するために利用可能なデータレートがゼロに降下することとなり、これによって、許容されない品質の損失又は再生の間の信号の割り込みを招く。時間ｔ１とｔ２の間の記録の間、データレートは、ピーク１２と１３の間でカーブ１１によるデータレートを伝送容量の半分に制限することにより制限される。同時の再生の間に時間ｔ３とｔ４の間で将来的に必要とされる記録のデータレートは、全体の伝送容量の５０％に設定される。明らかに、より低い必要とされるデータレート、たとえば４５％又は３０％を許容することも可能である。その場合、同時の記録及び再生の間に更なる情報フローが非常に低減される高い可能性があり、一方で、最小の利用可能な３０％又は４５％により生成される利用可能な許容される品質がなお存在する。対照的に、時間ｔ１とｔ２の間の第１の情報フローの記録の間、より強くない圧縮、この例では５５％又は７０％までの圧縮が必要とされる。将来的に必要とされるデータレートの選択は、記録されるべき信号の特性に同調される場合があり、現在に記録されるべき信号の強くない圧縮と、将来的に記録されるべき信号のより強い圧縮の可能性の間で最適値が選択される。
また、時間ｔ３とｔ４の間の同時の記録及び再生の間、将来的に必要とされるデータレートが記録のときに考慮される場合がある。その場合、データレートは、ピーク１６の間に制限される。
図６Ｂは、時間ｔ５からｔ８までの予め決定された持続期間を有する第１の情報フローの記録を示しており、一方、図６Ａに関する必要とされるデータレートが考慮されている。受信された信号は、時間ｔ５からｔ６まで、伝送容量の約５０％に低減される、固定されたデータレートを有する。時間ｔ５とｔ８の間にある時間ｔ６の後、同時の記録及び再生がもはや行われないといった可能性が考慮される。これは、次の計算から判断することができる。ユーザが再生モードを開始し、たとえば時間ｔ６の後の時間ｔ７で番組が完全に終了していない場合、ユーザは、記録されたが未だ再生されていない部分を最初に視聴する。この期間において記録が継続され、したがって期間ｔ７〜ｔ５が同時の記録及び再生のために利用可能である。期間ｔ８〜ｔ５の半分の後の時間ｔ７で再生が開始した場合、既に記録された期間ｔ７〜ｔ５の部分は、時間ｔ８を越え、時間ｔ６から先に延び、時間ｔ５とｔ８の中間で、フルデータレート１９で記録が行われる。明らかに、このレートは、再生が時間ｔ７から先に開始された後、５０％に低減される。再生の間に記録の一部、たとえば記録されたフイルムにおけるコマーシャルをスキップすることをユーザが決定する場合があるので、予測される将来必要とされるデータレートが僅かな遅延により、参照符号１８で示される所定のステップで低減される。また、その番組は、時間ｔ８がシフトされるように、その時間をオーバーランする場合がある。これは、変更された開始及び終末時間に関連する時間情報をテレビ送信機が送信するＰＤＣ（プログラムデリバリコード；Program Delivery Code）システムによるような、それぞれのソースにより示される場合がある。再生の間、データレートは、記録に明らかに対応し、一方で、更なるデータレート、したがって更に高い品質の再生された信号は、期間ｔ６〜ｔ７に対応する時間インターバル２９の間に利用可能である。
また、後の時間での実際の同時の記録と再生に関して予測される情報は、たとえばその後の時間が起こる日の一部といった、他の詳細から導出される場合もある。本システムは、ＶＣＲで慣習的であるデイ／デイトクロック（day/date clock）を有する。たとえば真夜中以後の再生は、特に仕事日においては可能性が低い。また、本システムは、ユーザの視聴の振る舞いに関する経験データを利用する場合がある。一般的な平均が使用されるか、又は、本システムは、ユーザの実際の動作からそのデータを知的に導出する場合がある。後の時間での同時の記録及び再生の可能性が低い場合、最小のデータレートが利用可能である一方で、更に低い要求されるデータレートが選択される。再生及び記録が同時に行われる可能性がない場合には、記録は実際に可能ではあるが、限られた品質で行われる。
図６Ｃは、（伝送容量１０から下方への）カーブ３２に従うデータレートでの既に記録された情報フローの再生と、及び入力の情報フローの同時の記録を示す。現在必要とされるデータレートは、既に記録された情報フローを再生するために必要なデータレートから導出される。現在必要とされるデータレートは伝送容量から減算され、結果として、カーブ３０により示される残りのデータレートは、入力の情報フローを記録するために利用可能である。たとえば上述のような制御可能な圧縮手段で圧縮率を調整することで、記録のためにできるだけ可能なこの残りのデータレートを利用する利点がる。また、伝送容量は、図５を参照して記載されたように調整することができる。時間ｔ１０から先へ、伝送容量は一時的に増加され、記録されるべき情報フローのために更なるデータレート３１が利用可能である。時間ｔ１１で、伝送レートは、たとえばバッファが充分に空になったときに正常な値に低減される。
【図１】
0004616942.tif 000002
【図２】
0004616942.tif 000003
【図３】
0004616942.tif 000004
【図４】
0004616942.tif 000005
【図５】
0004616942.tif 000006
【図６Ａ】
0004616942.tif 000007
【図６Ｂ】
0004616942.tif 000008
【図６Ｃ】
0004616942.tif 000009